(57)【要約】  本発明は、ヘッド部片（８）及びストラップ（６、９）を備えるケーブルタイであって、ストラップをヘッド部片に押し込むことができ、それによってケーブルタイ自体をラッチ式に固定することができ、ここで、ヘッド部片（８）の領域内に位置決めすることができる楔形の補償部片（５、７）にストラップ（６、９）が通されており、ストラップと共に中空の空間を画定する、ケーブルタイに関する。【選択図】図３
2019518914.tif 000002
【特許請求の範囲】
【請求項１】
ヘッド部片及びストラップを備えるケーブルタイであって、前記ストラップを前記ヘッド部片に押し込むことができ、それによってケーブルタイ自体をラッチ式に固定することができ、ここで、前記ヘッド部片（４、８）の領域内に位置決めすることができる補償部片（５、７、２５、４４）に前記ストラップ（６、９）が通されており、前記ストラップと共に中空の空間を画定する、ケーブルタイにおいて、
前記補償部片（５、７、２５、４４）が、前記中空空間（１５）の周縁の平面内で楔形の断面を有し、２つの長い側辺（３３、３４）及び短い底辺（３５）を有し、長い側辺（３３）を形成する表面が、前記ヘッド部片（８）に対する当接部として平面状に設計されている
ことを特徴とするケーブルタイ。
【請求項２】
前記補償部片（５、７、２５）が、前記中空空間（１５）に面する側で凹面（２１）を有することを特徴とする請求項１に記載のケーブルタイ。
【請求項３】
前記ストラップが、円形の中空空間を画定し、前記凹面（２１）が、前記円形の中空空間（１５）の半径（２３）にほぼ対応することを特徴とする請求項２に記載のケーブルタイ。
【請求項４】
前記凹面（２１）と前記ヘッド部片（４、８）との間に肩部が設けられていることを特徴とする請求項２又は３に記載のケーブルタイ。
【請求項５】
前記凹面（２１）と前記ストラップ（９）との間に肩部が設けられていることを特徴とする請求項２〜４のうちいずれか一項に記載のケーブルタイ。
【請求項６】
前記底辺（３５）を形成する表面に向かって、長い側辺（３３、３４）を形成する表面からの移行部（３６、３７）が丸みを付けられていることを特徴とする請求項１〜５のうちいずれか一項に記載のケーブルタイ。
【請求項７】
前記補償部片（５、７、２５、４４）が、前記ストラップ（９）を受け取るための長方形スロット（３８）を有し、前記方形スロット（３８）の長辺（３９）が、前記ストラップ（９）の幅（４０）に対応し、それにより、前記補償部片（５、７、２５、４４）を前記ストラップ（９）上で変位させることができ、かつ前記ストラップ（９）から滑り落ちないようにすることを特徴とする請求項１〜６のうちいずれか一項に記載のケーブルタイ。
【請求項８】
前記補償部片（５、７、２５、４４）が、前記ストラップ（９）を受け取るための長方形スロット（３８）を有し、前記長方形スロット（３８）の短辺又は長辺（３９、４１）が、弾力性又は弾性の接触面を有し、それにより、前記当接面が前記ストラップ（９）を押圧することを特徴とする請求項１〜７のうちいずれか一項に記載のケーブルタイ。
【請求項９】
前記補償部片（５、７、２５、４４）がストッパ（４２）を有し、前記ストッパ（４２）が、前記ストラップ（９）の対応部分と相互作用することを特徴とする請求項１〜８のうちいずれか一項に記載のケーブルタイ。
【請求項１０】
前記補償部片（４４）が、圧縮下で変形する弾性部分（４３）である、又は前記弾性部分（４３）を備えることを特徴とする請求項１〜９のうちいずれか一項に記載のケーブルタイ。
【請求項１１】
請求項１〜１０のうちいずれか一項に記載のケーブルタイ、及び配管部片からなるセット。
【請求項１２】
請求項１〜１１のうちいずれか一項に記載のケーブルタイ用の補償部片（５、７、２５、４４）。
【請求項１３】
成形部品であり、好ましくは、二成分射出成形部品、又は３Ｄプリンティングによって製造される部品であることを特徴とする請求項１２に記載の補償部片。
【発明の詳細な説明】
【技術分野】
【０００１】
本発明は、ケーブルタイ、そのようなケーブルタイを含むセット、及びケーブルタイ用の補償部片に関する。
【背景技術】
【０００２】
ケーブルタイは、ケーブルストラップ又はラチェットストリップとも呼ばれ、汎用性があり、すぐに使用でき、かつ安価な接続要素を形成する。
【０００３】
ケーブルタイは、元々は、様々なケーブル及びワイヤハーネスを互いに固定するため又は他の物体に固定するために設計された。しかし、ケーブルタイは、建設産業において仮の組立て用に若しくは梱包補助材としても使用され、又は警察の業務において人々を拘束するためにも使用されている。また、本発明は、自動車産業で使用されるものなど、接着ソケット、固定ボルト、又はファーツリーマウントなど、成形された取付け要素を有する特別なケーブルタイに関する。
【０００４】
本発明によれば、ケーブルタイは、プラスチック、特にＰＡ６．６又はＰＶＣから形成される。ナイロン（登録商標）としても知られているポリアミド６．６は、ケーブルタイに特に有利な材料であることが実証されている。しかし、ケーブルタイは、ポリウレタン、ＰＯＭ、ＡＢＳ、ＰＰ、ＰＥ、ＰＣ、ＰＥＥＫ、他のプラスチック、金属、アルミニウム鋳物、さらには高級鋼など他の材料から形成することもできる。
【０００５】
使い捨てのケーブルタイの場合、ケーブルタイが解放されないようにするために内歯又は外歯が使用される。通常、ケーブルタイは、破壊することによってしか再び開くことができない。プラスチック製の係止ストラップを有するケーブルタイの場合、通常、針で係止解除することができ、ループを解くことができる。特に高い引張力を有するケーブルタイを製造するために、金属製の舌部がヘッドに組み込まれており、これにより、舌部をケーブルタイの本体に切り込ませることによってケーブルタイを閉じることができる。
【０００６】
再使用可能なケーブルタイは、係止解除することによって再び開くことができ、したがって複数回使用することができる。さらに、開いた結束ヘッド付きのケーブルタイ、ダブルヘッドケーブルタイ、特別なラベル領域付きのケーブルタイもある。
【０００７】
本発明は、これらの種類の全てのケーブルタイに関し、特にホースをパイプ区域に固定するためのケーブルタイの使用に関する。この固定は、医療技術において、流体、特に血液又はガスを供給する管を、ホースコネクタ、すなわち管又は管継手に固定するために広く使用されている。可撓性材料から形成されるホースは、ケーブルタイを使用して管区域に押し付けられ、封止接続が形成される。
【０００８】
この適用分野で生じる特定の問題は、老化又は滅菌により、ホース材料がわずかに収縮する、又はその弾性を失うことがあることである。これにより、ホースと管区域との間の接触圧が低下し、これは漏れの問題を引き起こす可能性がある。実際には、最初の漏れは通常、ケーブルタイのヘッドの領域で発生する。その領域では、ケーブルタイがホースコネクタに対して平らに位置していない。したがって、ケーブルタイを、その円周面のできるだけ大部分にわたってホースと接触するように形作ることが提案されてきた。
【０００９】
しかし、これらのケーブルタイには、ホース直径ごとに特別なケーブルタイを提供しなければならないという欠点がある。これは、１つのケーブルタイの製造に伴うコストを増大させる。また、ケーブルタイは通常、射出成形プロセスで製造されるので、様々な金型を提供しなければならない。
【００１０】
ヘッド部片及びストラップを有するケーブルタイであって、ストラップをヘッド部片に押し込み、それによって定位置に固定することができ、ここで、ヘッド部片の領域内に位置決めすることができる補償部片にストラップが通されて、ストラップと共に中空空間を画定することができる、ケーブルタイが、例えば米国特許第５，６９０，５２２号明細書及び欧州特許第２２４７８８２号明細書から知られている。
【先行技術文献】
【特許文献】
【００１１】
【特許文献１】米国特許第５，６９０，５２２号明細書
【特許文献２】欧州特許第２２４７８８２号明細書
【発明の概要】
【発明が解決しようとする課題】
【００１２】
したがって、本発明の目的は、ケーブルタイによって圧縮された物体を円周の周りにおいてできるだけ均等に変形させる高信頼性の接触圧を提供するケーブルタイをさらに開発することである。
【課題を解決するための手段】
【００１３】
この目的は、請求項１の特徴を有するケーブルタイセンサによって実現される。
【００１４】
したがって、本発明によれば、既知のケーブルタイを、そのケーブルタイが通される補償部片と組み合わせることが提案される。この補償部片は、大量生産されている安価な既知のケーブルタイを使用することを可能にし、それと同時に、特定の用途に最適に適合されたケーブルタイを提供することを可能にする。
【００１５】
補償部片は、中空空間の周縁の平面内で楔形の断面を有し、２つの長い側辺及び短い底辺を有する。したがって、２つの長い側辺は、ヘッド部片と囲まれた中空空間との間に楔を形成することができ、一方、短い底辺は、ストラップ上での補償部片の移動を容易にする。ここで、ストラップは、長い側辺に垂直に延び、補償部片の開口部内で、次いでヘッド部片の開口部を通って移動可能である。
【００１６】
長い側辺を形成する表面が、ヘッド部片に対する当接部として平面状に設計されている。これにより、接触面が形成され、この接触面は、互いに向かう表面のわずかな移動も可能にする。
【００１７】
そのような補償部片は、製造が安価であり、既知のケーブルタイと組み合わせることができる。これは、特に、射出成形された安価な標準ケーブルタイを個々の補償部片と組み合わせることを可能にする。各補償部片は、その形状、材料、及び／又は色の選択により、特定の目的に最適に適合されている。
【００１８】
補償部片は、ケーブルタイのストラップの任意の位置に配置することができる。ケーブルタイが使用されているとき、補償部片は、ケーブルタイのヘッド部片に載置する。ヘッド部片と補償部片との二部品構成により、ケーブルタイが締められたときに補償部片が最適に位置決めされ、振動又は材料の形状変化が生じた場合に、ストラップ上での又はヘッド部片に対する補償部片の位置はわずかしか変化し得ない。その結果、接触圧をより長く維持することができる。
【００１９】
有利な構成は、従属請求項の主題である。
【００２０】
特にホースを配管部片に押し付けるために、補償部片が、中空空間に面する側に凹面を有することが提案されている。そのような凹面は、ヘッド部片とストラップとの間の「ガセット」を埋めて、接触面を拡大することができる。弾性ホース材料が表面の形状に適合するので、用途に応じて、凹面の代わりに平面状の表面又は構造化された表面を設けることもできる。
【００２１】
ストラップが円形の中空空間を画定する場合、補償部片の凹面は、円形の中空空間の半径とほぼ合致することができる。この文脈で、「ほぼ」は、最大±３０％、好ましくは最大±１０％、特に好ましくは最大±１％の、外接される中空空間の半径からの補償部片の半径の偏差を意味する。
【００２２】
医療技術の分野で非常によく使用される用途は、直径３／８インチ及び１／４インチのホースの固定である。したがって、凹面が、直径が３／８インチ又は１／４インチのホースの表面にほぼ対応することが提案される。
【００２３】
中空空間に面する側で、凹面は、ストラップとヘッド部片との両方に隣接する。例えば０．５ｍｍ〜５．０ｍｍのサイズを有する肩部を、これらの側部の片側又は両側に設けることができる。この肩部は、補償部片の製造を容易にする。丸みを付けることもできる肩部を提供することによって、不適切な使用時に切断面としてホースを損傷し得る鋭利な縁部をなくすことが可能である。
【００２４】
長い側辺を形成する表面と底辺を形成する表面との接合部が丸みを付けられている場合、補償部片の取扱い性が改善される。好ましくは、両方の接合面がわずかに丸みを付けられている。
【００２５】
特許請求しない実施形態は、接触面が、接触中に互いに対する表面の中心合わせを行うように設計されていることを企図する。これは、例えば、凸面に嵌まる凹面によって実現される。さらに、この接触面で、ヘッド部片と補償部片との間に、表面同士の互いに対する移動性を制限する構造を提供することができる。
【００２６】
補償部片にストラップを簡単に通すことは、ストラップを受け取るための長方形のスロットを補償部片に設けることによって実現され、そのスロットの長辺はストラップの幅に対応し、それにより、補償部片をストラップ上で変位させることができ、かつストラップから滑り落ちないようにする。したがって、補償部片は、可動のストラップへのわずかな圧力によって移動させることができ、その自重でストラップから滑り落ちることはない。また、そのようにして設計された補償部品は、請求項１の特徴部における特徴がなくても本発明の本質である。
【００２７】
補償部片が、ストラップを受け取るための長方形スロットを有し、長方形スロットの短辺又は長辺が、弾力性又は弾性の接触面を有し、それにより、この当接面がストラップを押圧すると特に有利である。これにより、補償部片を繰り返し使用した後でさえ、補償部片が誤ってストラップから滑り落ちることはない。
【００２８】
補償部片はストッパを有することができ、ストッパは、ストラップの対応部分と相互作用する。このストッパは、ストラップ上で特定の位置までしか補償部片を配置することができないことを保証する。このストッパは、例えば補償部片での係止デバイスの一部でもよく、したがってストッパでの位置を触覚的に変更することができる。
【００２９】
時間の経過と共に、ケーブルタイのストラップが伸びることがあり、ヘッド部片での係止デバイスが曲がることがあり、又はホースラインなどストラップによって囲まれた物体が縮むことがあるので、この場合にも一定の接触圧が維持されると有利である。これは、補償部片が、圧縮時に変形する弾性部品であること又は弾性部品を有することによって実現される。これは、例えば、ホースが直径約１ミリメートル以上収縮したとしても補償部片がホースと接触したままであることを保証することができる。したがって、弾性はストラップ又はヘッド部片に提供される必要はなく、代わりに、弾性材料からなる補償部片の一部分又は弾性材料からなる補償部片の弾性が、ストラップによって囲まれた材料に対するストラップの適切な接触圧を維持するために必要な弾性を提供することができる。
【００３０】
この目的で、補償部片は、特に中空空間に面する側に弾性の接触面を有することができ、その接触面が圧力パッドを形成する。しかし、補償部片は、ストラップを有するヘッド部片よりも可撓性の高い材料から形成することもでき、ばね作用を実現する。
【００３１】
弾性は、ストラップの接触面での特別な構造によって実現することもできる。これは、例えば、圧縮下で曲がるぎざぎざ又は波形部分を設けることによって実現することができる。
【００３２】
特定のホース直径に最適化されたケーブルタイを製造するために、そのようなケーブルタイ及びホース区域からなるセットを提供する、又は特別に適合されたケーブルタイ及び補償部片を有する特定のホース部片を提供することが提案される。
【００３３】
そのような補償部片は、いかなる既知のケーブルタイでも使用することができるので、そのような補償部片は、提案される延長部分として提供することができる。この補償部片は、射出成形部品として、好ましくは二成分射出成形部品として製造することができる。二成分射出成形部品は、射出成形プロセス中に、弾力性の接触面と安定な形成領域など、機能的に異なる領域を異なる材料から製造することを可能にする。より少量を製造するため、及び多成分製造のために、３Ｄプリンティングプロセスの使用が提案されている。
【００３４】
補償部片が楔形の断面を有する場合、短い方の側辺が、ラベル又は刻印を有することができる。さらに、異なる補償部片を異なる色で製造することができる。
【００３５】
ケーブルタイ及び補償部片の様々な設計変形形態を図面に示し、以下でより詳細に説明する。
【図面の簡単な説明】
【００３６】
【図１】既知のケーブルタイを通る概略断面図である。
【図２】補償部片を有するケーブルタイの斜視図である。
【図３】補償部片を有するケーブルタイの断面図である。
【図４】図３に示されるケーブルタイの第１の斜視図である。
【図５】図３に示されるケーブルタイの第２の斜視図である。
【図６】図３に示される補償部片の詳細図である。
【図７】可撓性の接触面を有する補償部片を有するケーブルタイの部分断面図である。
【図８】図７に示される補償部片の正面図である。
【図９】図７に示される補償部片の背面図である。
【図１０】図７に示される補償部片の側面図である。
【図１１】図７に示される補償部片の平面図である。
【図１２】図７に示される補償部片の断面図である。
【図１３】暗示される弾性の支持部を有する図７による補償部片の斜視図である。
【図１４】暗示される印刷を施すことができるプレートを有する図７に示される補償部片を示す図である。
【発明を実施するための形態】
【００３７】
図１に示されるケーブルタイ１は、ヘッド部片２及びストラップ３からなる。
【００３８】
図２に示される例示的実施形態では、補償部片５がヘッド部片４と接触しており、ストラップ６が補償部片５及びヘッド部片４に通されている。同様の設計が、図３による例示的実施形態によって示されている。ここでは、補償部片７がヘッド部片８と接触しており、ストラップ９が、補償部片７の開口部１０、及びヘッド部片８に通されている。ヘッド部片８の歯列１１は、ストラップ９の歯列１２と相互作用して、ストラップ９の端部１３をヘッド８内で保持する。
【００３９】
さらに、補償部片７の縁部１４がストラップ９の歯１２と相互作用することもできる。しかし、これは、本発明の機能に必須ではない。
【００４０】
図３に示される例示的実施形態では、ストラップ９によって画定される中空空間１５は円形であり、３／８インチの直径１６を有する。この例示的実施形態と合致するように、図６は、開口部１０に凹形又は凸形の外側接触面１７を有する補償部片７を示し、接触面１７は、例えば１０．７ｃｍの半径１８を有する。反対側の面１９は凹形に設計されており、例えば７．０ｃｍの半径２０を有する。中空空間１５に面する接触面２１は、４．６ｍｍの長さ２２及び８．３ｃｍの半径２３を有する。肩部２４として、接触面２１の両側に０．５ｍｍの高さが設けられている。
【００４１】
図７は、ヘッド部片８及びストラップ９と補償部片２５との相互作用を示す。補償部片２５は、可撓性の接触面２６を有し、接触面２６は、好ましくは弾性を有する。可撓性は、例えば中空空間１５内に配置されたホース部片（図示せず）との平面的な接触を保証し、弾性は、ストラップ９の伸長又はホース部片の収縮による接触圧の低下を補償する。
【００４２】
拡大されたラベル付け領域２７、及びヘッド部片８に対する補償部片２５の追加の接触面２８は、補償部片２５の突起２９によって得られる。
【００４３】
可撓性の表面２６に加えて又はその代替として、補償部片７とヘッド部片８との間の領域３０、又は補償部片７とストラップ９との間の表面１９の領域にも、可撓性の、かつ好ましくは弾性の表面を提供することができ、ケーブルタイによって囲まれた構成要素（図示せず）に長期に及ぶ適切な圧力を加える。
【００４４】
これらの可撓性の接触面は、肩部として設計することもできる。
【００４５】
補償部片２５は、例えば、３．５ｍｍの高さ３１、９．１ｍｍの長さ３２、及び７ｍｍの幅Ｂを有することができる。２つの長い側辺３３、３４及び短い底辺３５によって楔形の断面が形成される。
【００４６】
長い側辺３３から短い底辺３６への接合部３６、及び長い側辺３４と短い底辺３５との間の接合部３７はそれぞれ、丸みを付けられている。他方、ヘッド部片８と接触するための長い側辺３３の接触面３０は平坦である。
【００４７】
ストラップ９のための貫通路１０として、補償部片２５はスロット３８を有し、例示的実施形態では５．５ｍｍの幅Ｂ’を有するスロット３８の長辺３９は、ストラップ９の幅４０と合致し、それにより、補償部片２５をストラップ９上で変位させることができ、かつストラップ９から滑り落ちないようにする。
【００４８】
スロット３８の短辺４１は、弾性的に設計された接触面を有し、この接触面はストラップ９を押圧し、それにより、補償部片２５がストラップ９に沿って移動されるときにわずかな抵抗を生じる。
【００４９】
図６に示される縁部１４は、ストラップ９の歯付き外面１２に対するストッパ４２を形成し、対応部分としてストラップ９と相互作用する。
【００５０】
図１２は、補償部片４４での弾性部分４３を示し、弾性部分４３は、圧力下で変形することができ、ストラップ９によって囲まれる物体に対する補償部片４４の良好な接触を保証する。
【００５１】
隆起部４６（点線で示される）を有する補償部片４５が図１３に示されており、隆起部４６は、好ましくは弾性の、ケーブルタイのヘッド８に対する補償部片４５の接触面として設計されている。
【００５２】
図１４は、補償部片の短い底辺に拡大接触面４８を有する補償部片４７を示す。この表面は、マーク付けやラベルの貼付けに適している。
【図１】
2019518914.tif 000003
【図２】
2019518914.tif 000004
【図３】
2019518914.tif 000005
【図４】
2019518914.tif 000006
【図５】
2019518914.tif 000007
【図６】
2019518914.tif 000008
【図７】
2019518914.tif 000009
【図８】
2019518914.tif 000010
【図９】
2019518914.tif 000011
【図１０】
2019518914.tif 000012
【図１１】
2019518914.tif 000013
【図１２】
2019518914.tif 000014
【図１３】
2019518914.tif 000015
【図１４】
2019518914.tif 000016
【国際調査報告】
2019518914.tif 000017
2019518914.tif 000018
2019518914.tif 000019
2019518914.tif 000020
2019518914.tif 000021
2019518914.tif 000022